(57)【要約】【課題】利用者に応じた電子機器の機能設定を容易に実現する。【解決手段】各リモコン装置１（１ａ〜１ｄ）は、自身のＩＤコードを電子機器２に送信する。電子機器２のマイクロコンピュータ２０は、メモリ２２に登録されたＩＤコードとリモコン装置１から受信したＩＤコードとを照合し、登録されたＩＤコードの中に受信したＩＤコードが存在する場合、この受信したＩＤコードに対応する機能設定プログラムをメモリ２３から取得することにより、自機の機能をＩＤコードに対応する機能設定プログラムに従って設定する。【選択図】        図１
2004254215.tif 000002
【特許請求の範囲】
【請求項１】
リモコン装置によって電子機器を遠隔制御する電子機器遠隔制御システムであって、
前記リモコン装置は、自装置に対応した機能を制御対象の電子機器に設定させる識別用のＩＤコードを記憶する第１の記憶手段と、前記ＩＤコードを前記電子機器に送信するＩＤコード送信手段とを有し、
前記電子機器は、予め登録されたＩＤコードを記憶する第２の記憶手段と、自機の機能を設定する機能設定プログラムを記憶する第３の記憶手段と、前記リモコン装置から送信されたＩＤコードを受信するＩＤコード受信手段と、前記登録されたＩＤコードと前記リモコン装置から受信したＩＤコードとを照合する照合手段と、前記登録されたＩＤコードの中に前記受信したＩＤコードが存在する場合、この受信したＩＤコードに対応する機能設定プログラムにより自機の機能設定を行う機能設定手段とを有することを特徴とする電子機器遠隔制御システム。
【請求項２】
請求項１記載の電子機器遠隔制御システムにおいて、
前記リモコン装置は、前記電子機器に所望の動作を行わせる制御コードを記憶する第４の記憶手段と、利用者の操作に応じた前記制御コードを前記電子機器に送信する制御コード送信手段とを有し、
前記電子機器は、前記リモコン装置から前記制御コードを受信する制御コード受信手段と、前記機能設定プログラムにより設定された機能の中から前記受信した制御コードに応じた動作を選択して行う制御手段とを有することを特徴とする電子機器遠隔制御システム。
【請求項３】
電子機器を遠隔制御するリモコン装置であって、
自装置に対応した機能を制御対象の電子機器に設定させる識別用のＩＤコードを記憶する第１の記憶手段と、
前記ＩＤコードを前記電子機器に送信するＩＤコード送信手段とを有することを特徴とするリモコン装置。
【請求項４】
リモコン装置によって遠隔制御される電子機器であって、
予め登録されたＩＤコードを記憶する第２の記憶手段と、
自機の機能を設定する機能設定プログラムを記憶する第３の記憶手段と、
リモコン装置から送信されたＩＤコードを受信するＩＤコード受信手段と、
前記登録されたＩＤコードと前記リモコン装置から受信したＩＤコードとを照合する照合手段と、
前記登録されたＩＤコードの中に前記受信したＩＤコードが存在する場合、この受信したＩＤコードに対応する機能設定プログラムにより自機の機能設定を行う機能設定手段とを有することを特徴とする電子機器。
【請求項５】
請求項３記載のリモコン装置において、
前記電子機器に所望の動作を行わせる制御コードを記憶する第４の記憶手段と、
利用者の操作に応じた前記制御コードを前記電子機器に送信する制御コード送信手段とを有することを特徴とするリモコン装置。
【請求項６】
請求項４記載の電子機器において、
前記リモコン装置から利用者の操作に応じて送信される制御コードを受信する制御コード受信手段と、
前記機能設定プログラムにより設定された機能の中から前記受信した制御コードに応じた動作を選択して行う制御手段とを有することを特徴とする電子機器。
【発明の詳細な説明】
【０００１】
【発明の属する技術分野】
本発明は、リモコン装置によって電子機器を遠隔制御する電子機器遠隔制御システム、リモコン装置および電子機器に関するものである。
【０００２】
【従来の技術】
従来、電子機器は、リモコン装置によって遠隔制御できるようになっているが、その多くは操作が非常に煩雑で複雑なＧＵＩ（Ｇｒａｐｈｉｃａｌ  Ｕｓｅｒ  Ｉｎｔｅｒｆａｃｅ）を持っていた。例えば、デジタルテレビジョン放送やデータ放送をテレビジョン受像機で利用可能にするデジタルセットトップボックスでは、放送で規定された操作（例えば放送の視聴やチャンネル切換、双方向通信機能、個人情報の設定、課金設定など）と電子機器に依存する操作（例えば電源のオンオフや音量調整、録画予約設定など）とがあり、その操作は非常に煩雑である。このため、未熟な操作によって電子機器が誤動作したり、課金設定における誤操作によって予期しない経済的損失を惹起したりするといった問題が生じる可能性があった。
【０００３】
そこで、個人別設定が可能な対話型テレビシステムが提案されている（例えば、特許文献１参照）。この対話型テレビシステムは、利用者のプロフィールを設定することにより、テレビジョン受像機の設定を行って、操作を平易にしようとするものである。なお、出願人は、本明細書に記載した先行技術文献情報で特定される先行技術文献以外には、本発明に関連する先行技術文献を出願時までに発見するには至らなかった。
【０００４】
【特許文献１】
特開２００２−３３５５１３号公報
【０００５】
【発明が解決しようとする課題】
しかしながら、特許文献１に開示された方法では、利用者が自身のプロフィールを設定する必要があるため、このプロフィール設定の操作が煩雑になる可能性があった。また、特許文献１に開示された方法では、多様な利用者のプロフィール設定に対応するため、このプロフィール設定を行うリモコン装置のキー配置が複雑になり、利用者にとって操作し辛いものになるという問題点があった。
本発明は、上記課題を解決するためになされたもので、利用者に応じた電子機器の機能設定を容易に実現することができる電子機器遠隔制御システム、リモコン装置および電子機器を提供することを目的とする。
【０００６】
【課題を解決するための手段】
本発明は、リモコン装置によって電子機器を遠隔制御する電子機器遠隔制御システムであって、前記リモコン装置は、自装置に対応した機能を制御対象の電子機器に設定させる識別用のＩＤコードを記憶する第１の記憶手段と、前記ＩＤコードを前記電子機器に送信するＩＤコード送信手段とを有し、前記電子機器は、予め登録されたＩＤコードを記憶する第２の記憶手段と、自機の機能を設定する機能設定プログラムを記憶する第３の記憶手段と、前記リモコン装置から送信されたＩＤコードを受信するＩＤコード受信手段と、前記登録されたＩＤコードと前記リモコン装置から受信したＩＤコードとを照合する照合手段と、前記登録されたＩＤコードの中に前記受信したＩＤコードが存在する場合、この受信したＩＤコードに対応する機能設定プログラムにより自機の機能設定を行う機能設定手段とを有するものである。
また、本発明の電子機器遠隔制御システムの１構成例において、前記リモコン装置は、前記電子機器に所望の動作を行わせる制御コードを記憶する第４の記憶手段と、利用者の操作に応じた前記制御コードを前記電子機器に送信する制御コード送信手段とを有し、前記電子機器は、前記リモコン装置から前記制御コードを受信する制御コード受信手段と、前記機能設定プログラムにより設定された機能の中から前記受信した制御コードに応じた動作を選択して行う制御手段とを有するものである。
【０００７】
また、本発明のリモコン装置は、自装置に対応した機能を制御対象の電子機器に設定させる識別用のＩＤコードを記憶する第１の記憶手段と、前記ＩＤコードを前記電子機器に送信するＩＤコード送信手段とを有するものである。
また、本発明の電子機器は、予め登録されたＩＤコードを記憶する第２の記憶手段と、自機の機能を設定する機能設定プログラムを記憶する第３の記憶手段と、リモコン装置から送信されたＩＤコードを受信するＩＤコード受信手段と、前記登録されたＩＤコードと前記リモコン装置から受信したＩＤコードとを照合する照合手段と、前記登録されたＩＤコードの中に前記受信したＩＤコードが存在する場合、この受信したＩＤコードに対応する機能設定プログラムにより自機の機能設定を行う機能設定手段とを有するものである。
また、本発明のリモコン装置の１構成例は、前記電子機器に所望の動作を行わせる制御コードを記憶する第４の記憶手段と、利用者の操作に応じた前記制御コードを前記電子機器に送信する制御コード送信手段とを有するものである。
また、本発明の電子機器の１構成例は、前記リモコン装置から利用者の操作に応じて送信される制御コードを受信する制御コード受信手段と、前記機能設定プログラムにより設定された機能の中から前記受信した制御コードに応じた動作を選択して行う制御手段とを有するものである。
【０００８】
【発明の実施の形態】
以下、本発明の実施の形態について図面を参照して詳細に説明する。図１は、本発明の実施の形態となるリモコン装置とこのリモコン装置によって遠隔制御される電子機器とからなる電子機器遠隔制御システムの構成を示すブロック図である。本実施の形態では、電子機器２の１例として、デジタルテレビジョン放送やデータ放送を従来のテレビジョン受像機で利用可能にするデジタルセットトップボックスを例に挙げて説明する。
【０００９】
利用者が高機能リモコン装置１ａを使って電子機器２を遠隔制御しようとする場合、デジタルテレビジョン放送やデータ放送で規定された全ての操作（例えば放送の視聴やチャンネル切換、双方向通信機能、個人情報の設定、課金設定など）と電子機器２に依存する全ての操作（例えば電源のオンオフや音量調整、録画予約設定など）とを行うことができる。
【００１０】
視聴専用リモコン装置１ｂの仕様は放送の視聴のために特化して設定されており、利用者が視聴専用リモコン装置１ｂを使って電子機器２を遠隔制御しようとする場合、デジタルテレビジョン放送やデータ放送で規定された全ての操作を行うことができるが、電子機器２に依存する操作については電源のオンオフや音量調整などの簡単な操作のみが行えるようになっている。
【００１１】
簡易リモコン装置１ｃの仕様は例えば高齢者向けにリモコン操作を平易にするために特化して設定されており、利用者が簡易リモコン装置１ｃを使って電子機器２を遠隔制御しようとする場合、デジタルテレビジョン放送やデータ放送で規定された操作は行えず、アナログテレビジョン放送のチャンネル切換と電源のオンオフや音量調整などの電子機器２に依存する簡単な操作のみが行えるようになっている。
【００１２】
青少年専用リモコン装置１ｄの仕様は青少年向けに特化して設定されており、利用者が青少年専用リモコン装置１ｄを使って電子機器２を遠隔制御しようとする場合、実行可能な操作は視聴専用リモコン装置１ｂに準じるが、成人向け番組の視聴禁止や金銭の授受に関する設定の禁止といった制限が加わるようになっている。
【００１３】
各リモコン装置１（１ａ〜１ｄ）は、リモコン装置全体を制御するマイクロコンピュータ１０（１０ａ〜１０ｄ）と、各リモコン装置１に割り当てられたＩＤコードを記憶するメモリ１１（１１ａ〜１１ｄ）と、マイクロコンピュータ１０の動作に必要なプログラムや電子機器２を制御するための制御コード等を記憶するメモリ１２（１２ａ〜１２ｄ）と、利用者が電子機器２を操作するための操作部１３（１３ａ〜１３ｄ）と、電子機器２にＩＤコードと制御コードを赤外線送信する発光部１４（１４ａ〜１４ｄ）とを有している。
【００１４】
リモコン装置１ａ〜１ｄのメモリ（第１の記憶手段）１１ａ〜１１ｄに記憶されたＩＤコードは、それぞれ固有の値である。前述のようにリモコン装置１ａ〜１ｄはその用途がそれぞれ異なるので、メモリ（第４の記憶手段）１２ａ〜１２ｄに格納されているプログラムが異なり、操作部１３ａ〜１３ｄに設けられたキーの数やキー配置もそれぞれの用途に応じて最適化されている。また、マイクロコンピュータ１０と発光部１４とは、ＩＤコード送信手段および制御コード送信手段を構成している。
【００１５】
電子機器２は、電子機器全体を制御するマイクロコンピュータ２０と、リモコン装置１からの赤外線を受光して電気信号に変換する受光部２１と、各リモコン装置１のＩＤコードを記憶するメモリ（第２の記憶手段）２２と、マイクロコンピュータ２０の動作に必要なプログラム等を記憶するメモリ（第３の記憶手段）２３と、図示しないディスプレイ装置に画像を出力するインタフェース部（Ｉ／Ｆ部）２４とを有している。マイクロコンピュータ２０と受光部２１とは、ＩＤコード受信手段および制御コード受信手段を構成し、マイクロコンピュータ２０は、照合手段、機能設定手段および制御手段を構成している。
【００１６】
次に、以上のようなリモコン装置１を用いた電子機器２の遠隔制御について説明する。図２は電子機器２の動作を示すフローチャートである。ここでは、利用者が高機能リモコン装置１ａを操作した場合について説明する。高機能リモコン装置１ａのマイクロコンピュータ１０ａは、利用者が操作部１３ａを操作した場合、この操作に応じた制御コードをメモリ１２ａから読み出すと共に、自装置のＩＤコードをメモリ１１ａから読み出して、読み出したＩＤコードと制御コードとにより搬送波を変調して出力する。発光部１４ａは、この変調された搬送波を赤外線送信する。
【００１７】
電子機器２の受光部２１は、高機能リモコン装置１ａからの赤外線を受光すると、この赤外線を電気信号に変換してマイクロコンピュータ２０に出力する（図２ステップＳ１においてＹＥＳ）。マイクロコンピュータ２０は、受光部２１の出力信号を復調して、ＩＤコードと制御コードとを復号した後（ステップＳ２）、ＩＤコードを制御コードから分離して（ステップＳ３）、このＩＤコードをメモリ２２に格納された複数のＩＤコードと照合する（ステップＳ４）。
【００１８】
マイクロコンピュータ２０は、リモコン装置１ａから受信したＩＤコードがメモリ２２に格納された複数のＩＤコードのうちのいずれかと一致した場合（ステップＳ４においてＹＥＳ）、受信したＩＤコードに対応する機能設定プログラムをメモリ２３から取得することにより、自機の機能をＩＤコードに対応する機能設定プログラムに従って設定する（ステップＳ５）。こうして、電子機器２は、受信したＩＤコードに対応した機能、すなわち高機能リモコン装置１ａに対応した機能を利用者に提供する状態に設定される。
【００１９】
そして、マイクロコンピュータ２０は、機能設定プログラムにより設定された機能の中から、ステップＳ２で復号した制御コードに応じた動作を選択して実行する（ステップＳ６）。このときの動作としては、例えば高機能リモコン装置１ａの操作に応じたメニュー等の画像をＩ／Ｆ部２４を介してディスプレイ装置に表示させるなどの動作がある。なお、マイクロコンピュータ２０は、ステップＳ４において照合不一致の場合、あらかじめ登録されたリモコン装置１ａ〜１ｄからの信号ではないと判断して、リモコン装置から送信された信号を無視する。
【００２０】
以上の動作は、利用者が高機能リモコン装置１ａを操作した場合であるが、利用者が他のリモコン装置１ｂ〜１ｄを操作した場合も同様である。例えば利用者が視聴専用リモコン装置１ｂを操作すれば、電子機器２は、視聴専用リモコン装置１ｂに対応した機能を利用者に提供する状態に設定され、設定した機能の中から制御コードに応じた動作を選択して実行する。
【００２１】
こうして、電子機器２は、ＩＤコードを送信したリモコン装置１に対応した機能を利用者に提供する状態に設定される。その結果、電子機器２がディスプレイ装置により提供するＧＵＩは、ＩＤコードを送信したリモコン装置１に対応して変化する。また、各リモコン装置１の操作部１３に設けられたキーの数やキー配置は、各リモコン装置１の用途に応じて最適化されている。したがって、利用者は、自身の目的や操作の習熟度に合ったリモコン装置１から、自身の目的や操作の習熟度に合ったＧＵＩを提供する電子機器２を遠隔操作するので、その操作に戸惑うことが少なくなる。
【００２２】
なお、本実施の形態では、電子機器２の１例としてデジタルセットトップボックスを例に挙げて説明したが、これに限るものではなく、他の電子機器にも本発明を適用できることは言うまでもない。
【００２３】
【発明の効果】
本発明によれば、リモコン装置に、識別用のＩＤコードを記憶する第１の記憶手段と、ＩＤコードを電子機器に送信するＩＤコード送信手段とを設け、電子機器に、予め登録されたＩＤコードを記憶する第２の記憶手段と、自機の機能を設定する機能設定プログラムを記憶する第３の記憶手段と、リモコン装置から送信されたＩＤコードを受信するＩＤコード受信手段と、登録されたＩＤコードとリモコン装置から受信したＩＤコードとを照合する照合手段と、登録されたＩＤコードの中に受信したＩＤコードが存在する場合、この受信したＩＤコードに対応する機能設定プログラムにより自機の機能設定を行う機能設定手段とを設けることにより、電子機器は、受信したＩＤコードに対応した機能、すなわちリモコン装置に対応した機能を利用者に提供する状態に設定される。その結果、利用者は、自身のプロフィールを設定する必要がなく、自身の目的や操作の習熟度に合ったリモコン装置を使用するだけで、このリモコン装置に応じて電子機器の機能が設定されるので、電子機器の機能を減らしたり増やしたりすることが容易となる。また、利用者は、自身の目的や操作の習熟度に合ったリモコン装置を使用するので、操作に戸惑うことが少なくなる。その結果、利用者にとっての利便性を向上させることができる。また、保護者がその子供に青少年専用リモコン装置を使用させるようにすれば、電子機器の機能は青少年向けに制限されるので、例えば成人向け番組の視聴制限等を容易に実現することができる。
【００２４】
また、リモコン装置に、電子機器に所望の動作を行わせる制御コードを記憶する第４の記憶手段と、利用者の操作に応じた制御コードを電子機器に送信する制御コード送信手段とを設け、電子機器に、リモコン装置から制御コードを受信する制御コード受信手段と、機能設定プログラムにより設定された機能の中から受信した制御コードに応じた動作を選択して行う制御手段とを設けることにより、利用者は、所望の動作を電子機器に行わせることができる。
【図面の簡単な説明】
【図１】本発明の実施の形態となるリモコン装置とこのリモコン装置によって遠隔制御される電子機器とからなる電子機器遠隔制御システムの構成を示すブロック図である。
【図２】本発明の実施の形態における電子機器の動作を示すフローチャートである。
【符号の説明】
１ａ…高機能リモコン装置、１ｂ…視聴専用リモコン装置、１ｃ…簡易リモコン装置、１ｄ…青少年専用リモコン装置、２…電子機器、１０、２０…マイクロコンピュータ、１１、１２、２２、２３…メモリ、１３…操作部、１４…発光部、２４…インタフェース部。
【図１】
2004254215.tif 000003
【図２】
2004254215.tif 000004